(57)【特許請求の範囲】
【請求項１】
主光源と、一端側の端面から入射し他端側に向かう前記主光源からの光を前面側に照射する導光板と、前面に絵柄を有し前記導光板の前面側に配設される表示パネルとを備え、
前記表示パネルの背面側であって、前記表示パネルの前記絵柄において濃淡レベルが低い淡色領域に対応する部位に、前面側に光を照射する補助光源を配置したことを特徴とする誘導灯。
【請求項２】
前記表示パネルとして、互いに絵柄が異なる複数種類の表示パネルのうちの何れかが用いられ、前記補助光源は、前記表示パネルの背面側に複数配置され、用いられる表示パネルの絵柄に合わせて点灯させる前記補助光源を選択する補助光源選択手段を設けたことを特徴とする請求項１記載の誘導灯。
【発明の詳細な説明】
【技術分野】
【０００１】
本発明は、誘導灯に関するものである。
【背景技術】
【０００２】
従来より、図６に示すような内照式の誘導灯Ｃが提供されている。この誘導灯Ｃは、表示パネル８の背面側に直管型ランプ２０が配置されており、直管型ランプ２０からの直射光および反射板２１からの反射光を前面側に照射し、表示パネル８に光を透過させることで表示面を光らせている。
【０００３】
また、図７に示すように導光板９を用いた誘導灯Ｄも提供されている。この誘導灯Ｄは、光源を構成する直管型ランプ２２が本体部１の前面側に配置された表示パネル８および導光板９の上部に配置されており、直管型ランプ２２からの光は導光板９の端面（上端面）から導光板９内部に入射され、さらに導光板９内部で複数回反射して前面側に面発光させることで、導光板９の前面側に配置された表示パネル８の表示面を光らせている。
【０００４】
ここで、一般的に誘導灯に用いられる表示パネルには、白色および緑色の２色によりピクトグラムが描かれているが、この白色と緑色とが接する箇所の明るさの比（以下、輝度対比という。）は、日本照明器具工業会規格により一定値以上に保つことが義務付けられており、また表示パネル全体の平均輝度についても一定値以上に保つことが義務付けられている。
【０００５】
上述した内照式の誘導灯Ｃや導光式の誘導灯Ｄでは、輝度対比を一定値以上にするためには緑色の濃色領域を濃くすればよいが、濃色領域を濃くすることによって表示パネル８全体の平均輝度が低下するものであった。
【０００６】
そこで、表示パネル全体の平均輝度の低下を抑制するために、導光板の光拡散面（後面）に凹凸部を設けた誘導灯が提案されている（例えば特許文献１参照）。この誘導灯では、導光板が光源から離れるにしたがって薄肉となるくさび形状に形成され、且つ、その光拡散面には複数の凹凸部が設けられている。
【特許文献１】特開２００２−２７８４８５号公報（段落［００１６］−段落［００２０］、及び、第１図）
【発明の開示】
【発明が解決しようとする課題】
【０００７】
上述の特許文献１に示した誘導灯では、光源からの光の照射方向において凹凸部の粗さや密度を変えることで、光源からの距離に応じて輝度を調整できるものではあるが、導光板において直管型ランプの軸方向と平行な方向では輝度が同じ値となるため、光源から同距離にある部位において部分的、局所的に輝度を調整することができなかった。
【０００８】
本発明は上記問題点に鑑みて為されたものであり、その目的とするところは、表示パネルの輝度を部分的に調整できる誘導灯を提供することにある。
【課題を解決するための手段】
【０００９】
請求項１の発明は、主光源と、一端側の端面から入射し他端側に向かう主光源からの光を前面側に照射する導光板と、前面に絵柄を有し導光板の前面側に配設される表示パネルとを備え、表示パネルの背面側であって、表示パネルの絵柄において濃淡レベルが低い淡色領域に対応する部位に、前面側に光を照射する補助光源を配置したことを特徴とする。
【００１０】
請求項２の発明は、表示パネルとして、互いに絵柄が異なる複数種類の表示パネルのうちの何れかが用いられ、補助光源は、表示パネルの背面側に複数配置され、用いられる表示パネルの絵柄に合わせて点灯させる補助光源を選択する補助光源選択手段を設けたことを特徴とする。
【発明の効果】
【００１１】
請求項１の発明によれば、表示パネルに対して所定位置に配置した補助光源を点灯させることによって、補助光源に対応する表示パネルの部位の輝度を上昇させることができるので、補助光源の配置により表示パネルの輝度を部分的に調整することができるという効果がある。さらに、表示パネルの絵柄において、濃淡レベルが低い淡色領域に対応する部位に補助光源を配置した場合には、補助光源からの光により淡色部分を明るくすることによって輝度対比を高めることができるから、濃色領域を濃くする必要がなく、表示パネル全体の平均輝度を一定値以上に保つことができるという効果がある。
【００１２】
請求項２の発明によれば、表示パネルの背面側に複数配置した補助光源を、用いられる表示パネルの絵柄に合わせて選択して点灯させるように構成しているので、複数種類の表示パネルで導光板および補助光源を共用でき、構成部品の種類増加に伴うコストアップを抑えることができるという効果がある。
【発明を実施するための最良の形態】
【００１３】
（第１の実施形態）
第１の実施形態について図１および図２に基づいて説明する。本実施形態の誘導灯Ａは、造営材（例えば、天井や壁など）に取り付けられ、避難誘導用の標識として用いられるものである。
【００１４】
本実施形態の誘導灯Ａは、図１に示すように、前面が開口する略矩形箱状の本体部１と、開口を閉塞するように前面側から本体部１に取着され光を照射する発光ブロック３と、前面側から発光ブロック３に取着される表示ブロック２とを備えている。
【００１５】
本体部１は、例えば合成樹脂成形品であって、上側の側壁において略中央部には商用電源を供給するための電源線（図示せず）を上側から本体部１内部に導入するためのノックアウト１ａが設けられ、このノックアウト１ａを間にして左右方向両側には固定ねじ（図示せず）が挿通されるねじ挿通孔１ｂ、１ｂがそれぞれ設けられている。また、本体部１の底面（背面）において上寄りの略中央部には、上記電源線を背面側から本体部１内部に導入するためのノックアウト１ｃが設けられ、このノックアウト１ｃを間にして左右方向両側にも固定ねじ（図示せず）が挿通されるねじ挿通孔１ｄ、１ｄがそれぞれ設けられている。すなわち、ねじ挿通孔１ｂ、１ｂを用いることによって本体部１を天井に取り付けることができ、またねじ挿通孔１ｄ、１ｄを用いることによって本体部１を壁に取り付けることができるのである。なお、天井取付の場合にはノックアウト１ａを開けることで形成される孔を通して上記電源線が本体部１内部に導入され、壁取付の場合にはノックアウト１ｃを開けることで形成される孔を通して上記電源線が本体部１内部に導入されるようになっている。
【００１６】
さらに、本体部１の左右両側の側壁の内側面には、発光ブロック３を構成するブロック本体３ａの左右方向両端部に設けた係合突起３ｃが係合する略Ｌ字状の係合突片１ｅがそれぞれ上下方向に沿って２個ずつ突設されている。
【００１７】
ここで、本体部１の内部には、端子台５や、停電時における電源供給用の蓄電池４や、点灯回路７ａ（図４参照）ならびに主光源１０、補助光源１１および蓄電池４の状況（例えば蓄電池４の充電状態など）をチェックする自己点検機能を有し、点灯回路７ａを制御する制御回路が内蔵された点灯制御ブロック７が収納されている。なお、本体部１の下側の側壁には、自己点検を行うための自己点検スイッチ（図示せず）や蓄電池４の交換時期などを表示する、例えばＬＥＤからなる表示部（図示せず）などを露出するための複数の露出孔からなる露出部１ｆが設けられているので、外側から自己点検スイッチを押すことで自己点検を行うことができ、また蓄電池４の充電状態及び交換時期などを容易に確認することができる。ここにおいて、ノックアウト１ａ又は１ｃを通して本体部１内部に導入された上記電源線を端子台５に接続すると、通常時には電源線を介して供給された商用電源が点灯回路７ａに供給されるとともに蓄電池４を充電し、停電時には蓄電池４が放電して点灯回路７ａに電源が供給される。
【００１８】
発光ブロック３は、例えば合成樹脂成形品であって、本体部１の開口寸法と略同寸法に形成された略矩形板状のブロック本体３ａを有し、ブロック本体３ａの上部には前面側に突出する突台部３ｂが一体に設けられており、突台部３ｂの下面には、例えばＬＥＤからなる複数の主光源１０が左右方向に並べて露設されている。また、ブロック本体３ａの前面（主面）には、前面側に光を照射する補助光源１１が所定位置に配設されている。さらに、ブロック本体３ａの左右方向両端側において本体部１の各係合突片１ｅに対応する部位には、対応する係合突片１ｅと係合する係合突起３ｃがそれぞれ設けられている。なお、上記主光源１０および補助光源１１は、電線１４を介してコネクタ１２に電気的に接続されており、これらの電線１４およびコネクタ１２を介して点灯回路７ａから点灯電力が供給されるようになっている。
【００１９】
表示ブロック２は、図１に示すように、前面側に表示パターンＢ（絵柄）が形成された略矩形板状の表示パネル８と、表示パネル８の背面側に配設される略矩形板状の導光板９とで構成されている。
【００２０】
導光板９は、例えば透明なアクリル樹脂成形品であって、表示パネル８と略同形状に形成され、背面側から適宜の取付手段により表示パネル８に取り付けられるようになっている。この導光板９では、上記主光源１０からの照射光が上端面から導光板９内に入射し、導光板９内部で複数回反射して導光板９の前面（表示パネル８側の面）から均一に照射される。
【００２１】
表示パネル８は、例えば合成樹脂成形品であって略矩形板状に形成され、前面側には、例えば印刷により人物を模したピクトグラムで構成された表示パターンＢが形成されている。この表示パターンＢにおいて、輪郭線１３と外周とで囲まれた領域（以下、この領域を濃色領域ａという。）には、一様の濃淡レベルで緑インクが塗布されており、輪郭線１３で囲まれた領域（以下、この領域を淡色領域ｂという。）には、一様の濃淡レベルで白インクが塗布されている。なお、淡色領域ｂは、白インクを塗布して形成したものに限定されるものではなく、例えば白色の合成樹脂を用いることで淡色領域ｂを形成してもよい。
【００２２】
次に、誘導灯Ａの組立手順について図１に基づいて説明する。なお、以下の説明では、各種電線が予め接続されているものとして説明する。まず、導光板９を適宜の取付手段により表示パネル８の背面側に取り付け、表示ブロック２を組み立てる。その後、発光ブロック３のブロック本体３ａの前面に、組み立てた表示ブロック２を適宜の取付手段により取り付ける。そして、コネクタ１２を本体部１内のコネクタ接続部（図示せず）に接続するとともに、表示ブロック２が取着された発光ブロック３を本体部１の前面側に被着し、本体部１に対して下方にスライドさせると、ブロック本体３ａの左右両端側の各係合突起３ｃが対応する係合突片１ｅとそれぞれ係合し、発光ブロック３が本体部１に取り付けられ誘導灯Ａの組立てが完了する。なお、この状態において、各係合突起３ｃは、それぞれ対応する係合突片１ｅの下片に当接することで下側への移動が規制されるとともに、係合突片１ｅの縦片と当接することで前方への移動が規制され、発光ブロック３の脱落が防止されている。
【００２３】
ここにおいて、上述した補助光源１１は、図２（ａ）に示すように表示パターンＢにおいて淡色領域ｂに対応する部位に配置されており、背面側から淡色領域ｂを照射するように構成されている。
【００２４】
さらに、本実施形態の誘導灯Ａの動作について説明する。まず、本体部１に収納された点灯回路７ａからコネクタ１２を介して点灯電力が供給されると、主光源１０および補助光源１１が点灯する。主光源１０からの照射光は、導光板９の上端面から導光板９内部に入射し、導光板９内部で複数回反射して前面から均一に照射される。すなわち、主光源１０からの照射光は、濃色領域ａおよび淡色領域ｂに均等に照射されることになる。一方、補助光源１１は、上述のとおり表示パターンＢの淡色領域ｂに対応する部位に配置されているため、補助光源１１から照射された光は導光板９を透過して淡色領域ｂを照射する。すなわち、補助光源１１を点灯させることによって淡色領域ｂに照射される光量が増加し、淡色領域ｂの輝度が高められることになる。
【００２５】
而して、本実施形態の誘導灯Ａでは、表示パネル８に対して所定位置に配置した補助光源１１を点灯させることによって、補助光源１１に対応する表示パネル８の部位の輝度を上昇させることができるので、補助光源１１の配置により表示パネル８の輝度を部分的に調整することができる。特に、本実施形態のように、表示パネル８の表示パターンＢにおいて淡色領域ｂに対応する部位に補助光源１１を配置した場合には、補助光源１１からの光によって淡色領域ｂに照射される光量を増加させて濃色領域ａと淡色領域ｂの輝度対比を高めることができるから、濃色領域ａを濃くする必要がなく、表示パネル８全体の平均輝度を一定値以上に保つことができる。
【００２６】
ここにおいて、本実施形態の誘導灯Ａに用いられる表示パネル８は図２（ａ）に示すものに限定されるものではなく、例えば図２（ｂ）や図２（ｃ）に示すものであってもよい。そして、これらの場合、補助光源１１を表示パターンＢの淡色領域ｂに合わせて配置することによって、同様に濃色領域ａと淡色領域ｂの輝度対比を一定値以上に保ちつつ、全体の平均輝度を向上させることができる。
【００２７】
（第２の実施形態）
第２の実施形態について図３〜図５に基づいて説明する。第１の実施形態では、図２（ａ）〜（ｃ）に示すように表示パターンＢの形状に合わせて補助光源１１を配置した場合を例に説明したが、本実施形態では、図５（ａ）〜（ｃ）に示すように複数の補助光源１１をブロック本体３ａの所定位置に配置し、用いられる表示パネル８の表示パターンＢに合わせて補助光源１１を選択して点灯させるように構成している。なお、それ以外の構成については第１の実施形態と同様であり、同一の構成要素には同一の符号を付して説明は省略する。
【００２８】
本実施形態の誘導灯Ａは、図５（ａ）〜（ｃ）に示すように、互いに表示パターンＢが異なる複数種類（本実施形態では３種類）の表示パネル８を備え、さらに図３（ａ）に示すように発光ブロック３のブロック本体３ａの前面には、複数の補助光源１１が所定位置に配設されている。また、本体部１内に収納された点灯制御ブロック７には、上述した複数の補助光源１１のうち、点灯させる補助光源１１を選択するための選択スイッチＳＷ１〜ＳＷ３（図４参照）が設けられており、用いられる表示パネル８の表示パターンＢに合わせて補助光源１１が点灯するようになっている。ここに、本実施形態では、図５（ａ）の表示パネル８に選択スイッチＳＷ１が、図５（ｂ）の表示パネル８に選択スイッチＳＷ２が、図５（ｃ）の表示パネル８に選択スイッチＳＷ３がそれぞれ対応しており、これらの選択スイッチＳＷ１〜ＳＷ３により補助光源選択手段が構成されている。なお、本実施形態の誘導灯Ａの組立手順については第１の実施形態と同様であり、説明は省略する。
【００２９】
次に、本実施形態の誘導灯Ａの動作について説明する。まず、用いる表示パネル８に合わせて点灯制御ブロック７の選択スイッチＳＷ１〜ＳＷ３の何れかを選択することになるが、ここでは図５（ａ）に示す表示パネル８を用い、選択スイッチＳＷ１を選択した場合について説明する。点灯回路７ａからコネクタ１２を介して点灯電力が供給されると、主光源１０および選択された補助光源１１が点灯する。主光源１０からの照射光は、導光板９の上端面から導光板９内部に入射し、導光板９内部で複数回反射して前面から均一に照射される。一方、補助光源１１は、選択スイッチＳＷ１を選択したため、複数の補助光源１１のうち、図５（ａ）中の黒丸位置の補助光源１１が点灯し、淡色領域ｂに照射される光量が増加し、淡色領域ｂの輝度が高められることになる。
【００３０】
なお、図５（ｂ）に示す表示パネル８を用いた場合には選択スイッチＳＷ２が選択され、図５（ｂ）中の黒丸位置の補助光源１１が点灯し、図５（ｃ）に示す表示パネル８を用いた場合には選択スイッチＳＷ３が選択され、図５（ｃ）中の黒丸位置の補助光源１１が点灯することになり、同様に淡色領域ｂの輝度が高められることになる。
【００３１】
而して、本実施形態の誘導灯Ａでは、表示パネル８の背面側に複数配置した補助光源１１を、用いられる表示パネル８の表示パターンＢに合わせて選択して点灯させるように構成しているので、複数種類の表示パネル８で導光板９および補助光源１１を共用でき、構成部品の種類増加に伴うコストアップを抑えることができる。
【図面の簡単な説明】
【００３２】
【図１】第１の実施形態の誘導灯の分解斜視図である。
【図２】（ａ）〜（ｃ）は同上に用いられる表示パネルにおける補助光源の配置図である。
【図３】第２の実施形態の誘導灯の分解斜視図である。
【図４】同上の簡略化した回路図である。
【図５】（ａ）〜（ｃ）は同上に用いられる表示パネルにおいて点灯させる補助光源の配置図である。
【図６】従来例の誘導灯の分解斜視図である。
【図７】別の従来例の誘導灯の分解斜視図である。
【符号の説明】
【００３３】
８  表示パネル
９  導光板
１０  主光源
１１  補助光源
Ａ  誘導灯
Ｂ  表示パターン
【図１】
0005149650.tif 000002
【図２】
0005149650.tif 000003
【図３】
0005149650.tif 000004
【図４】
0005149650.tif 000005
【図５】
0005149650.tif 000006
【図６】
0005149650.tif 000007
【図７】
0005149650.tif 000008